(57)【特許請求の範囲】
【請求項１】
複数の段ボール片の辺部を互いに接合して作成した段ボール緩衝固定材において、前記段ボール片の辺部を折り曲げて前記段ボール緩衝固定材を作成した際の三角形の前記段ボール片の頂角が３つ以上合わさった頂点ごとにそれぞれ貫通孔部を設け、前記段ボール片の辺部を折り曲げて前記段ボール緩衝固定材を作成した際に前記各頂点ごとに設けられた前記貫通孔部が合わさって形成された貫通孔に嵌合する突起部を前記段ボール片に設けたことを特徴とする段ボール緩衝固定材。
【発明の詳細な説明】
【０００１】
【発明の属する技術分野】
本発明は、電子機器、その他の被梱包体を梱包する際に使用する緩衝固定材、特に段ボールより構成されるコーナー緩衝固定材に関する。
【０００２】
【従来の技術】
近年、パソコン、ディスプレイ、プリンター等の電子機器は、輸送・保管中に受ける衝撃を軽減して内容物を保護する目的で、梱包した上にさらに二重梱包を施し、その内装用包装箱のコーナーや周辺には、発泡ポリスチレン、発泡ポリエチレン、発泡ポリプロピレン等の発泡プラスチック製成型品の緩衝固定材を使用していた。特に航空貨物として輸送する際には、内容物が高い衝撃を受けることが多いために、通常梱包の内装用包装箱をコーナー緩衝固定材やその他の包装材により空間を設けた上に、外装用包装箱に収納し梱包していた。さらに、内装用包装箱を２個以上包装する場合には、発泡プラスチック製成型品よりなる緩衝固定材の使用量も多くなり、その作業にも手間のかかるものとなっていた。
【０００３】
図１３（ａ）は従来の電子機器の二重梱包の包装形態を示す分解斜視図であり、図示のように内装箱１００は、その上下部に発泡プラスチックよりなる緩衝体（図示せず）を当接し、外装箱１０１に収納され、そのコーナー部に発泡プラスチックよりなるコーナー緩衝固定材１０２を介在させた包装形態となっていた。
【０００４】
また、図１３（ｂ）に示すように、多数個の内装箱１００を一つの外装箱１０１に収納する二重梱包の包装形態では、前記コーナー部以外に、各内装箱１００の隣接部にも発泡プラスチックよりなる中介緩衝固定材１０３を介在させて緩衝保護するようにしている。
【０００５】
【発明が解決しようとする課題】
しかしながら上記従来の包装形態では、電子機器の保管・輸送後に開梱した後でコーナー緩衝固定材１０２や中介緩衝固定材１０３が不要となり、コーナー緩衝固定材１０２や中介緩衝固定材１０３は廃棄されて焼却または埋め立てられるので、環境破壊の要因となるという問題点を有しており、さらに、不燃物である発泡プラスチックよりなるコーナー緩衝固定材１０２や中介緩衝固定材１０３の処理には多くの手間と費用を要していた。
【０００６】
本発明は上記従来の問題点に留意し、発泡プラスチック製のコーナー緩衝固定材に代わり、段ボールシートを折り曲げ重合することにより容易に製造でき、緩衝性が高く、また、使用後はリサイクルの容易な段ボール緩衝固定材を提供することを目的とする。
【０００７】
【課題を解決するための手段】
この目的を達成するために本発明は、複数の段ボール片の辺部を互いに接合して作成した段ボール緩衝固定材において、前記段ボール片の辺部を折り曲げて前記段ボール緩衝固定材を作成した際の三角形の前記段ボール片の頂角が３つ以上合わさった頂点ごとにそれぞれ貫通孔部を設け、前記段ボール片の辺部を折り曲げて前記段ボール緩衝固定材を作成した際に前記各頂点ごとに設けられた前記貫通孔部が合わさって形成された貫通孔に嵌合する突起部を前記段ボール片に設けたことを特徴とする構成とした。
【０００８】
本発明によれば、処理に手間と費用のかかる発泡プラスチック製の緩衝材を使用しないことから、安価で、しかもリサイク可能なコーナー緩衝固定材とすることができる。もちろん、包装した内容物の輸送、保管時の衝撃を十分に吸収し、かつ、電子機器の輸送後に開梱したあとではリサイクルされて、さらに別の包装用段ボール緩衝固定材として使用できる。また、段ボールの重合の枚数を変更することにより、内容物の製品が持つ強度やその重量に応じて、内容物にかかる衝撃吸収性を変化させることが可能である。
【００１３】
【発明の実施の形態】
以下、本発明の実施の形態について、図面を参照して説明する。
（実施の形態１）
図１は本発明の実施の形態１の電子機器の段ボール緩衝固定材を使用の際の二重梱包状態の斜視図、図２は本発明の実施の形態１の電子機器の段ボール緩衝固定材（４枚重ね・コーナー用）の展開図および折り曲げ工程の説明図である。
【００１４】
図１（ａ）において、１は電子機器の等を包装した包装用内装箱、２は段ボールよりなり、かつ、重合し折り曲げてコーナーパッド状に形成されたコーナー緩衝固定材、３は二重梱包用の包装用外装箱であり、前記包装用内装箱１の上下コーナー部にそれぞれコーナー緩衝固定材２を嵌め合せ、前記包装用内装箱１を包装用外装箱３に収納して緩衝包装される。
【００１５】
また、図１（ｂ）において、１は電子機器の等を包装した包装用内装箱、２は段ボールよりなり、かつ、重合し折り曲げてコーナーパッド状に形成されたコーナー緩衝固定材、４は段ボールよりなり、かつ、重合し折り曲げて介入片をもつコーナーパッド状に形成された仕切り緩衝固定材、３は包装用外装箱であり、前記包装用内装箱１の上下コーナー部にそれぞれコーナー緩衝固定材２を嵌め合せ、また、複数の包装用内装箱１間に仕切り緩衝固定材４を介在させ、前記各包装用内装箱１を包装用外装箱３に収納して緩衝包装される。
【００１６】
前記コーナー緩衝固定材２を詳細に説明すると、このコーナー緩衝固定材２は図２の展開図および斜視図に示すように、抜き型によって打ち抜いた一枚の段ボールシートを基材とし、その内側の３稜を折り曲げ可能なように抜き溝、内折り罫線、外折り罫線、ミシン目罫線、ミシン目文字および組立て用抜き穴を形成し、前記内側の３稜部を折り曲げて構成される。
【００１７】
さらに詳しく説明すると、図２（１）の展開図に示すように、抜き型によって打ち抜いた一枚の段ボールシート１５には、四角形部の中央に直線上に等間隔に位置するように逃がし穴１６ｂ、１６ａ、１６ｃを形成し、その中央の逃がし穴１６ａを基点として逃がし穴１６ｃ側に４５°の相互間角度をもって放射状に内折り罫線１８ａ、１８ｂ、１８ｃを設け、前記内折り罫線１８ａ、１８ｂ、１８ｃの先端と逃がし穴１６ｃを結ぶように内折り罫線１８ｄ、１８ｅを設けている。
【００１８】
また、中央の逃がし穴１６ａを基点として真横に外折り罫線１７ａ、１７ｅを、さらに、逃がし穴１６ｂ側に４５°の相互間角度をもって放射状に外折り罫線１７ｂ、１７ｃ、１７ｄを設け、前記外折り罫線１７ｂ、１７ｃ、１７ｄの先端と逃がし穴１６ｂを結ぶように外折り罫線１７ｆ、１７ｇを設けている。前記逃がし穴１６ｃ側には、内折り罫線１８ｄと１８ｅを辺とする三角部を設けてあり、また、逃がし穴１６ｂ側には、外折り罫線１７ｆ辺とする四角部と、１７ｇを辺とする三角部を設けている。さらに前記四角部には、外折り罫線１７ｆに対し４５°の関係をもつ外折り罫線１７ｈを設けている。そして前記各内折り罫線と各外折り罫線を辺とする大小の三角部１５ａ〜１５ｌを形成している。
【００１９】
以下、前記段ボールシート１５による三角形コーナー緩衝固定材について、その直角壁緩衝部の組立てを順に説明する。
【００２０】
図２（２）において、まず、外折り罫線１７ａ、１７ｅを基点として外折りにする。次に、図２（３）において、内折り罫線１８ｂを内折りにする。次に、図２（４）〜図２（５）において、さらに深く折り、三角部の辺１５ｌを三角部の辺１５ｋの上に被せるように内折りする。次に、図２（５）〜図２（６）において、三角部１５ａ、１５ｇ、１５ｊを三角部１５ｌ、１５ｈ、１５ｉの上にそれぞれ被せるように内折りして、図２（７）に示すように内装箱１のコーナーに嵌まり合う４枚積層の直角壁Ａ、Ｂ、Ｃよりなるコーナー緩衝固定材を完成させる。
【００２１】
図２（８）は、前記コーナー緩衝固定材の折り畳み状態を示している。
前記折り曲げを助成するために、三角部１５ｄ、１５ｃ、１５ｅ、１５ｆ、１５ｇ、１５ｈ、１５ｉ、１５ｊの中央の交点には固定用の逃がし穴１６ａ、１６ｂ、１６ｃを設けて、さらに、三角部１５ａ、１５ｄ、１５ｆの一個所にはそれぞれ内折りして固定するための突起部を形成している。かつ、折り曲げの順序を印刷またはミシン目文字によって示し、前記内折り罫線、外折り罫線を順次折り曲げて、積層段ボールよりなる各辺同厚の直角壁緩衝部を形成して段ボール緩衝固定材を構成する。
【００２２】
なお、図示していないが、各三角部には折り曲げの順序を印刷またはミシン目文字によって表示している。
【００２３】
（実施の形態２）
この実施の形態２のコーナー緩衝固定材は、図３（１）〜（７）に示すように、前記と同様に一枚の段ボールシート３０に抜き型によって抜き溝、内折り罫線、外折り罫線、ミシン目罫線、ミシン目文字および組立て用抜き穴を形成し、さらに組立て時に突起の必要なものには組立て用のコーナー部突起を設け、かつ、折り曲げの順序を印刷またはミシン目文字によって打印し、前記内折り罫線、外折り罫線を順次折り曲げて積層段ボールよりなる隣接する各四角部が同厚の直角壁緩衝部を形成した構成としている。
【００２４】
なお、形状としては積層した緩衝直角壁Ａ、Ｂ、Ｃを四角形の壁としたことに特徴をもち、前記と同様に抜き型によって打ち抜いた一枚の段ボールシート３０を基材とし、その内側の稜を折り曲げ可能なように抜き溝、内折り罫線、外折り罫線、ミシン目罫線、ミシン目文字および組立て用抜き穴を形成し、前記内側の各稜部を折り曲げて構成されるものであり、組立ては前記と同様であることから、その説明を省略する。
【００２５】
（実施の形態３）
この実施の形態３のコーナー部緩衝固定材は、図４（１）〜（９）に示すように、前記と同様に一枚の段ボールシート４０に抜き型によって抜き溝、内折り罫線、外折り罫線、ミシン目罫線、ミシン目文字および組立て用抜き穴を形成し、さらに組立て時に突起の必要なものには組立て用のコーナー部突起を設け、かつ、折り曲げの順序を印刷またはミシン目文字によって打印し、前記内折り罫線、外折り罫線を順次折り曲げて積層段ボールよりなる隣接する各三角部が同厚の直角壁緩衝部を形成した構成の段ボール緩衝固定材とする。
【００２６】
なお、形状としては５枚積層三角形の３つの緩衝直角壁をもつことに特徴をもち、前記と同様に抜き型によって打ち抜いた一枚の段ボールシート４０を基材とし、その内側の稜を折り曲げ可能なように抜き溝、内折り罫線、外折り罫線、ミシン目罫線、ミシン目文字および組立て用抜き穴を形成し、前記内側の各稜部を折り曲げて構成されるものであり、組立ては前記と同様であることから、その説明を省略する。
【００２７】
（実施の形態４）
この実施の形態４のコーナー部緩衝固定材は、図５（１）〜（６）に示すように、前記と同様に一枚の段ボールシート５０に抜き型によって抜き溝、内折り罫線、外折り罫線、ミシン目罫線、ミシン目文字および組立て用抜き穴を形成し、さらに組立て時に突起の必要なものには組立て用のコーナー部突起を設け、かつ、折り曲げの順序を印刷またはミシン目文字によって打印し、前記内折り罫線、外折り罫線を順次折り曲げて積層段ボールよりなる隣接する各三角部が同厚の直角壁緩衝部を形成した構成とする。
【００２８】
なお、形状としては６枚積層三角形の３つの直角緩衝壁をもつことに特徴をもち、前記と同様に抜き型によって打ち抜いた一枚の段ボールシート５０を基材とし、その内側の稜を折り曲げ可能なように抜き溝、内折り罫線、外折り罫線、ミシン目罫線、ミシン目文字および組立て用抜き穴を形成し、前記内側の各稜部を折り曲げて構成されるものであり、組立ては前記と同様であることから、その説明を省略する。
【００２９】
（実施の形態５）
この実施の形態５のコーナー部緩衝固定材は、図６（１）〜（１０）に示すように、前記と同様に一枚の段ボールシート６０に抜き型によって抜き溝、内折り罫線、外折り罫線、ミシン目罫線、ミシン目文字および組立て用抜き穴を形成し、さらに組立て時に突起の必要なものには組立て用のコーナー部突起を設け、かつ、折り曲げの順序を印刷またはミシン目文字によって打印し、前記内折り罫線、外折り罫線を順次折り曲げて積層段ボールよりなる隣接する各三角部が同厚の直角壁緩衝部を形成した構成とする。
【００３０】
なお、形状としては、前記実施の形態４の６枚積層三角形の３つの直角緩衝壁をもつものの変形であり、前記と同様に抜き型によって打ち抜いた一枚の段ボールシート６０を基材とし、その内側の稜を折り曲げ可能なように抜き溝、内折り罫線、外折り罫線、ミシン目罫線、ミシン目文字および組立て用抜き穴を形成し、前記内側の各稜部を折り曲げて構成されるものであり、組立ては前記と同様であることから、その説明を省略する。
【００３１】
（実施の形態６）
この実施の形態６のコーナー部緩衝固定材は、図７（１）〜（１０）に示すように、前記と同様に一枚の段ボールシート７０に抜き型によって抜き溝、内折り罫線、外折り罫線、ミシン目罫線、ミシン目文字および組立て用抜き穴を形成し、折り曲げの順序を印刷またはミシン目文字によって打印し、前記内折り罫線、外折り罫線を順次折り曲げて積層段ボールよりなる隣接する各三角部が同厚の直角壁緩衝部を形成した構成とする。
【００３２】
なお、形状としては、前記実施の形態４の６枚積層三角形の３つの直角緩衝壁をもつものの変形であり、前記と同様に抜き型によって打ち抜いた一枚の段ボールシート７０を基材とし、その内側の稜を折り曲げ可能なように抜き溝、内折り罫線、外折り罫線、ミシン目罫線、ミシン目文字および組立て用抜き穴を形成し、前記内側の各稜部を折り曲げて構成されるものであり、組立ては前記と同様であることから、その説明を省略する。
【００３３】
（実施の形態７）
この実施の形態７は、二連三角形コーナー緩衝固定材に構成され、すなわち、積層段ボールよりなる隣接した三角部または四角部と積層段ボールよりなる３つの緩衝壁Ａ、Ｂ、Ｃとその内側に位置する仕切り緩衝壁Ｄで、２つの連接した直角壁緩衝部を形成して構成される。
【００３４】
以下その詳細を説明すると、図８（１）に示すように、この二連三角形コーナー緩衝固定材は、抜き型によって打ち抜かれた一枚の段ボールシート２０を基材とし、内折り罫線（破線）２１ａ〜２１ｉ、外折り罫線（一点鎖線）２２ａ〜２２ｍおよび逃げ溝２３ａ、２３ｅによって仕切られた前記大小の三角部２０ａ〜２０ｐを形成している。
【００３５】
以下、二連三角形コーナー緩衝固定材について、その直角壁緩衝部の組立てを順に説明すると、図８（２）に示す段ボールシート２０を、図８（３）で、まず、内折り罫線２１ａ、続いて２１ｂを内折りにする。次に図８（４）で外折り罫線２２ｍを外折りする。次に図８（５）において内折り罫線２１ｉ、２１ｇ、２１ｈおよび２１ｆ、２１ｅ、２１ｄを内折りして、２つの三角錐の窪み部を形成する。三角部２０ｓ、２０ｇはいずれも窪みの内側、図８（６）で前記三角部２０ｑ、２０ｐ、２０ｏを２０ｈと２０ｌの間に挿入し、さらに内折り罫線２２ｉを基点に三角部２０ｉを外折りする。そして外折り罫線２２ｊを基点に外折りして三角部２０ｅ、２０ｎを三角部２０ｋに密着させる。次に図８（７）で外折り罫線２２ｋを基点に三角部２０ｉを２０ｆに密着させる。このとき三角部辺２０ｊも２０ｒと密着することになる。さらに図８（７）〜（８）で外折り罫線２２ｈを基点として三角部２０ｄを２０ｊに密着させる。次に図８（９）で外折り罫線２２ｅを基点として三角部２０ｃを２０ｋに密着させる。図８（９）、図８（１０）で三角部２０ａ、２０ｂ、２０ｔをそれぞれ外折り罫線２２ａ、２２ｂ、２２ｃ、２２ｄ、２２ｆ、２２ｇを基点に外折りして、前記突起部２４ａ、２４ｂ、２４ｃをそれぞれ前記固定用逃がし溝に挿入して組立て完成する。さらに組立て完成後は嵩張るので、予め外折り罫線２２ｎ、内折り罫線２１ｊを設けており、組立て完成後に図８（１１）のように折り畳み状態で輸送・保管を行う。
【００３６】
（実施の形態８）
この実施の形態８は、十字コーナー緩衝固定材に構成される。すなわち、積層段ボールよりなる隣接した三角部または四角部とで座板部Ｅと、その面に形成される十字状仕切り緩衝壁Ｆを形成して構成される。
【００３７】
以下その詳細を説明すると、図９（１）に示すように、この十字コーナー緩衝固定材は、抜き型によって打抜かれた一枚の段ボールシート２５には、内折り罫線（破線）２５ａ〜２５ｎ、折り罫線（一点鎖線）２６ａ〜２６ｎおよび逃げ溝２７ａ、２７ｄによって仕切られた三角部２８ａ〜２８ｗを形成している。
【００３８】
以下、十字三角形コーナー緩衝固定材について、その直角壁緩衝部の組立てを順に説明する。図９（３）で、まず、内折り罫線２５ｅ〜２５ｈを内折りするとともに、外折り罫線２６ｃ、２６ｆ、２６ｇ、２６ｌを外折りして中央部に十字直角壁を形成する。次に図９（４）で内折り罫線２５ａ、２５ｃ、２５ｊ、２５ｋを内折りして、中央部に十字コーナー部を形成する。次に図９（５）で内折り罫線２５ｂ、２５ｄ、２５ｉ、２５ｌを基点として内折りする。さらに図９（５）で外折り罫線２６ｂ、２６ｅ、２６ｊ、２６ｈを基点として外折りし、２６ａ、２６ｄ、２６ｋ、２６ｉを基点として図９（６）で三角部２８ａ、２８ｌ、２８ｍ、２８ｖを中央部の内スリットに挿入して図９（７）、図９（８）のように３枚積層の十字コーナー緩衝固定材を組立て完成する。さらに組立て完成後は嵩張るので、予め外折り罫線２６ｍ、２６ｎ内折り罫線２５ｍ、２５ｎを設けており、組立て完成後に図９（９）のように折り畳み状態で輸送・保管を行う。
【００３９】
（実施の形態９）
この実施の形態９の十字コーナー緩衝固定材は、図１０（１）〜（８）に示すように、座板部Ｅと、その面に形成される十字状仕切り緩衝壁Ｆを形成して構成されるものであり、前記と同様に一枚の段ボールシート８０に抜き型によって抜き溝、内折り罫線、外折り罫線、ミシン目罫線、ミシン目文字および組立て用抜き穴を形成し、折り曲げの順序を印刷またはミシン目文字によって打印し、前記内折り罫線、外折り罫線を順次折り曲げて積層段ボールよりなる隣接する各三角部で座板部Ｅと十字状仕切り緩衝壁Ｆを形成した構成とする。
【００４０】
なお、形状としては、前記実施の形態８の十字三角部および挿入片が４枚積層した構成に特徴を有し、前記と同様に抜き型によって打ち抜いた一枚の段ボールシート８０を基材とし、その内側の稜を折り曲げ可能なように抜き溝、内折り罫線、外折り罫線、ミシン目罫線、ミシン目文字および組立て用抜き穴を形成し、前記内側の各稜部を折り曲げて構成されるものであり、組立ては前記と同様であることから、その説明を省略する。
【００４１】
（実施の形態１０）
この実施の形態１０の十字コーナー緩衝固定材は、図１１（１）〜（７）に示すように座板部Ｅと、その面に形成される十字状仕切り緩衝壁Ｆを形成して構成されるものであり、前記と同様に一枚の段ボールシート９０に抜き型によって抜き溝、内折り罫線、外折り罫線、ミシン目罫線、ミシン目文字および組立て用抜き穴を形成し、折り曲げの順序を印刷またはミシン目文字によって打印し、前記内折り罫線、外折り罫線を順次折り曲げて積層段ボールよりなる隣接する各三角部が同厚の直角壁緩衝部および挿入片を形成した構成とする。
【００４２】
なお、形状としては、前記実施の形態８の座板部Ｅおよび十字状仕切り緩衝壁Ｆが５枚積層してなる構成に特徴を有し、前記と同様に抜き型によって打ち抜いた一枚の段ボールシート９０を基材とし、その内側の稜を折り曲げ可能なように抜き溝、内折り罫線、外折り罫線、ミシン目罫線、ミシン目文字および組立て用抜き穴を形成し、前記内側の各稜部を折り曲げて構成されるものであり、組立ては前記と同様であることから、その説明を省略する。
【００４３】
（実施の形態１１）
この実施の形態１１の十字コーナー緩衝固定材は、図１２（１）〜（８）に示すように座板部Ｅと、その面に形成される十字状仕切り緩衝壁Ｆを形成して構成されるものであり、前記と同様に一枚の段ボールシート９５に抜き型によって抜き溝、内折り罫線、外折り罫線、ミシン目罫線、ミシン目文字および組立て用抜き穴を形成し、折り曲げの順序を印刷またはミシン目文字によって打印し、前記内折り罫線、外折り罫線を順次折り曲げて積層段ボールよりなる隣接する各三角部が同厚の座板Ｅおよび十字状仕切り緩衝壁Ｆを形成した構成とする。
【００４４】
なお、形状としては、前記実施の形態８の座板Ｅおよび十字状仕切り緩衝壁Ｆが６枚積層した構成に特徴を有し、前記と同様に抜き型によって打ち抜いた一枚の段ボールシート９５を基材とし、その内側の稜を折り曲げ可能なように抜き溝、内折り罫線、外折り罫線、ミシン目罫線、ミシン目文字および組立て用抜き穴を形成し、前記内側の各稜部を折り曲げて構成されるものであり、組立ては前記と同様であることから、その説明を省略する。
【００４５】
【発明の効果】
以上の説明より明らかなように、本発明の段ボール緩衝固定材は、材質に段ボールシートを使用し、段ボールシートの折り曲げ重合によって直角壁緩衝部および仕切り緩衝壁に緩衝に必要な厚みを持たせたので、コーナー緩衝固定あるいは複数箱間での緩衝固定において、市場で受ける衝撃および耐圧等の必要強度にも十分耐えるだけの緩衝性能と強さを有するとともに、テープや接着剤等を一切使用しない方法で構成しており、また、組立て順序を分かり易く表示していることから、安全にしかも簡単に包装容器への収納、および取り出しが可能である。
【００４６】
さらに、包装材料費も安く、発泡プラスチックの金型と比較すると、木型になるので型費用の削減も可能である。これらの利点に加えて、地球環境保護の観点から製造物回収の動きがある今日、使用後の処理に手間と費用のかかる発泡プラスチック製緩衝材を使わないので、その処理費用が安く、しかも段ボールシートはリサイクルが一般的であるので、この緩衝固定材が回収時すぐにリサイクルされるという大きな効果が期待できる。
【図面の簡単な説明】
【図１】本発明の実施の形態１の電子機器の段ボール緩衝固定材を使用の際の二重梱包状態の斜視図
【図２】本発明の実施の形態１の電子機器の段ボール緩衝固定材（４枚重ね・コーナー用）の展開図および折り曲げ工程の説明図
【図３】本発明の実施の形態２の段ボール緩衝固定材（４枚重ね・コーナー用）の展開図および折り曲げ工程の説明図
【図４】本発明の実施の形態３の段ボール緩衝固定材（５枚重ね・コーナー用）の展開図および折り曲げ工程の説明図
【図５】本発明の実施の形態４の段ボール緩衝固定材（６枚重ね・コーナー用）の展開図および折り曲げ工程の説明図
【図６】本発明の実施の形態５の段ボール緩衝固定材（６枚重ね・コーナー用）の展開図および折り曲げ工程の説明図
【図７】本発明の実施の形態６の段ボール緩衝固定材（６枚重ね・コーナー用）の展開図および折り曲げ工程の説明図
【図８】本発明の実施の形態７の段ボール緩衝固定材（５枚重ね・二連三角形コーナー用）の展開図および折り曲げ工程の説明図
【図９】本発明の実施の形態８の段ボール緩衝固定材（３枚重ね・十字三角形コーナー用）の展開図および折り曲げ工程の説明図
【図１０】本発明の実施の形態９の段ボール緩衝固定材（４枚重ね・十字三角形コーナー用）の展開図および折り曲げ工程の説明図
【図１１】本発明の実施の形態１０の段ボール緩衝固定材（５枚重ね・十字三角形コーナー用）の展開図および折り曲げ工程の説明図
【図１２】本発明の実施の形態１１の段ボール緩衝固定材（６枚重ね・十字三角形コーナー用）の展開図および折り曲げ工程の説明図
【図１３】従来例の電子機器の発泡プラスチック製コーナー緩衝固定材使用の際の二重梱包状態の斜視図
【符号の説明】
１  包装用内装箱
２  コーナー緩衝固定材
３  包装用外装箱
４  仕切り緩衝固定材
１５  段ボールシート
１５ａ〜１５ｌ  三角部
ｌ６ａ〜１６ｃ  折り曲げ用逃げ穴
１７ａ〜１７ｈ  外折り罫線
１８ａ〜１８ｅ  内折り罫線
１９ａ〜１９ｃ  折り曲げ用突起
２０  段ボールシート
２０ａ〜２０ｎ  三角部
２１ａ〜２１ｊ  内折り罫線
２２ａ〜２２ｎ  外折り罫線
２３ａ〜２３ｅ  折り曲げ用逃げ溝
２４ａ〜２４ｃ  折り曲げ用突起
２５  段ボールシート
２５ａ〜２５ｌ  内折り罫線
２６ａ〜２６ｌ  外折り罫線
２７ａ〜２７ｄ  折り曲げ用逃げ穴
２８ａ〜２８ｗ  三角部
Ａ〜Ｃ  直角緩衝壁
Ｄ  仕切り緩衝壁
Ｅ  座板部
Ｆ  十字状仕切り緩衝壁
【図１】
0004206514.tif 000002
【図２】
0004206514.tif 000003
【図３】
0004206514.tif 000004
【図４】
0004206514.tif 000005
【図５】
0004206514.tif 000006
【図６】
0004206514.tif 000007
【図７】
0004206514.tif 000008
【図８】
0004206514.tif 000009
【図９】
0004206514.tif 000010
【図１０】
0004206514.tif 000011
【図１１】
0004206514.tif 000012
【図１２】
0004206514.tif 000013
【図１３】
0004206514.tif 000014